(57)【要約】【課題】新たな測定装置を設置する必要がなく、既存の受電電力測定装置及び余剰電力測定装置のデータから太陽光パネルの発電電力を推定することができる発電電力推定装置を得ることを目的とする。【解決手段】この発明に係る発電電力推定装置３１においては、受信部３３で受信した受電電力測定装置及び余剰電力測定装置の測定データを、変動周期分解部３４で需要家の過去の使用電力データに基づき早い変動周期成分と遅い変動周期成分に変動周期分解し、変発電電力推定処理部３５でその変動周波数分解の結果等に基づいて太陽光パネルの発電電力を推定する。【選択図】        図３
2011185649.tif 000002
【特許請求の範囲】
【請求項１】
需要家の受電電力を測定する受電電力測定装置から測定受電電力データを入力され、かつ、前記需要家が保有する太陽光パネルの発電電力から前記需要家の使用電力を差し引いた余剰電力を測定する余剰電力測定装置から測定余剰電力データを入力され、前記測定受電電力データ及び前記測定余剰電力データを前記需要家の過去の使用電力のデータに基づき早い変動周期成分と遅い変動周期成分とに変動周期分解してその変動周期分解結果を出力する変動周期分解処理部と、
前記変動周期分解部から出力された変動周期分解結果、基準となる日射量のデータである基準日射量データ、前記基準日射量データの示す日射を受けた前記太陽光パネルが発電する発電電力のデータである基準発電電力データ、及び発電電力を推定する期間における前記太陽光パネルが設置された地点の日射量を示すデータである日射量データに基づいて前記太陽光パネルの発電電力を推定する発電電力推定処理部と、
を備える発電電力推定装置。
【請求項２】
複数の需要家の総受電電力を測定する総受電電力測定装置から測定総受電電力データを入力され、かつ、前記複数の需要家が保有する複数の太陽光パネルの発電電力の合計から前記複数の需要家の使用電力の合計を差し引いた総余剰電力を測定する総余剰電力測定装置から測定総余剰電力データを入力され、前記測定総受電電力データ及び前記測定総余剰電力データを前記複数の需要家の過去の使用電力のデータに基づき早い変動周期成分と遅い変動周期成分とに変動周期分解してその変動周期分解結果を出力する変動周期分解処理部と、
前記変動周期分解部から出力された変動周期分解結果、基準となる日射量のデータである基準日射量データ、前記基準日射量データの示す日射を受けた前記複数の太陽光パネルが発電する発電電力のデータである基準発電電力データ、及び発電電力を推定する期間における前記複数の太陽光パネルが設置された地点の日射量を示すデータである日射量データに基づいて前記複数の太陽光パネルの発電電力の合計を推定する発電電力推定処理部と、
を備える発電電力推定装置。
【請求項３】
需要家の受電電力を測定する受電電力測定装置から測定受電電力データを入力され、かつ、前記需要家が保有する第１の太陽光パネルの発電電力から前記需要家の使用電力を差し引いた余剰電力を測定する余剰電力測定装置から測定余剰電力データを入力され、前記測定受電電力データ及び前記測定余剰電力データを前記需要家の過去の使用電力のデータに基づき早い変動周期成分と遅い変動周期成分とに変動周期分解してその変動周期分解結果を出力する変動周期分解処理部と、
前記変動周期分解部から出力された変動周期分解結果、基準となる日射量のデータである基準日射量データ、前記基準日射量データの示す日射を受けた前記第１の太陽光パネルが発電する発電電力のデータである基準発電電力データ、及び発電電力を推定する期間における前記第１の太陽光パネルが設置された地点の日射量を示すデータである日射量データに基づいて前記第１の太陽光パネルの発電電力を推定する発電電力推定処理部と、
前記第１の太陽光パネルの近隣に位置する第２の太陽光パネルの発電電力を、前記発電電力推定処理部が推定した前記第１の太陽光パネルの発電電力に前記第１の太陽光パネルと前記第２の太陽光パネルとの設備容量比を積算して推定する近隣太陽光パネル発電電力推定処理部と、
を備える発電電力推定装置。
【請求項４】
需要家の受電電力を測定する受電電力測定装置から測定受電電力データを入力され、かつ、前記需要家が保有する太陽光パネルの発電電力から前記需要家の使用電力を差し引いた余剰電力を測定する余剰電力測定装置から測定余剰電力データを入力され、前記測定受電電力データ及び前記測定余剰電力データを前記需要家の過去の使用電力のデータに基づき早い変動周期成分と遅い変動周期成分とに変動周期分解してその変動周期分解結果を出力する変動周期分解処理ステップと、
前記変動周期分解ステップの変動周期分解結果、基準となる日射量のデータである基準日射量データ、前記基準日射量データの示す日射を受けた前記太陽光パネルが発電する発電電力のデータである基準発電電力データ、及び発電電力を推定する期間における前記太陽光パネルが設置された地点の日射量を示すデータである日射量データに基づいて前記太陽光パネルの発電電力を推定する発電電力推定処理ステップと、
を備える発電電力推定方法。
【請求項５】
複数の需要家の総受電電力を測定する総受電電力測定装置から測定総受電電力データを入力され、かつ、前記複数の需要家が保有する複数の太陽光パネルの発電電力の合計から前記複数の需要家の使用電力の合計を差し引いた総余剰電力を測定する総余剰電力測定装置から測定総余剰電力データを入力され、前記測定総受電電力データ及び前記測定総余剰電力データを前記複数の需要家の過去の使用電力のデータに基づき早い変動周期成分と遅い変動周期成分とに変動周期分解してその変動周期分解結果を出力する変動周期分解処理ステップと、
前記変動周期分解ステップの変動周期分解結果、基準となる日射量のデータである基準日射量データ、前記基準日射量データの示す日射を受けた前記複数の太陽光パネルが発電する発電電力のデータである基準発電電力データ、及び発電電力を推定する期間における前記複数の太陽光パネルが設置された地点の日射量を示すデータである日射量データに基づいて前記複数の太陽光パネルの発電電力の合計を推定する発電電力推定処理ステップと、
を備える発電電力推定方法。
【請求項６】
需要家の受電電力を測定する受電電力測定装置から測定受電電力データを入力され、かつ、前記需要家が保有する第１の太陽光パネルの発電電力から前記需要家の使用電力を差し引いた余剰電力を測定する余剰電力測定装置から測定余剰電力データを入力され、前記測定受電電力データ及び前記測定余剰電力データを前記需要家の過去の使用電力のデータに基づき早い変動周期成分と遅い変動周期成分とに変動周期分解してその変動周期分解結果を出力する変動周期分解処理ステップと、
前記変動周期分解ステップの変動周期分解結果、基準となる日射量のデータである基準日射量データ、前記基準日射量データの示す日射を受けた前記第１の太陽光パネルが発電する発電電力のデータである基準発電電力データ、及び発電電力を推定する期間における前記第１の太陽光パネルが設置された地点の日射量を示すデータである日射量データに基づいて前記第１の太陽光パネルの発電電力を推定する発電電力推定処理ステップと、
前記第１の太陽光パネルの近隣に位置する第２の太陽光パネルの発電電力を、前記発電電力推定処理ステップで推定した前記第１の太陽光パネルの発電電力に前記第１の太陽光パネルと第２の太陽光パネルとの設備容量比を積算して推定する近隣太陽光パネル発電電力推定処理ステップと、
を備える発電電力推定方法。
【発明の詳細な説明】
【技術分野】
【０００１】
この発明は、太陽光パネルの発電電力を推定する発電電力推定装置に関するものである。
【背景技術】
【０００２】
近年、太陽光パネルを所有する需要家は、住宅などの建造物に太陽光パネルを設置し、太陽光の発電電力から建造物内で使用した使用電力を差し引いて余った余剰電力を、電力会社に販売することが行われている。受電電力測定装置と余剰電力測定装置により、電力会社からの購入電力と電力会社への販売電力を測る。実際に太陽光発電が発電する電力の測定が行われていない。
【０００３】
このような太陽光発電システムが接続された電力系統において事故が起こった際、安全のため、太陽光発電システムが解列されることがある。その復旧の際の再閉路時に、太陽光パネルの発電電力が分からないと過負荷が発生する恐れがある。
【０００４】
そこで、太陽光パネルの発電電力を調べる必要性が生じるが、従来は、太陽光の発電電力を測定するための測定装置を太陽光パネルに直接設置して発電電力を調べていた（例えば、特許文献１参照）。
【先行技術文献】
【特許文献】
【０００５】
【特許文献１】特開２００４-２８９２４号公報（第４−６頁、第１図）
【発明の概要】
【発明が解決しようとする課題】
【０００６】
しかし、上記のような従来技術では、測定装置を新たに設置する必要があるという欠点がある。これはコストの面や、測定装置の設置場所を確保する必要がある点からも望ましくない。
【０００７】
この発明は、上述のような課題を解決するためになされたもので、新たな測定装置を設置する必要がなく、既存の受電電力測定装置及び余剰電力測定装置のデータから太陽光パネルの発電電力を推定することができる発電電力推定装置を得ることを目的とする。
【課題を解決するための手段】
【０００８】
この発明に係る発電電力推定装置においては、受電電力測定装置及び余剰電力測定装置の測定データを需要家の過去の使用電力データに基づき早い変動周期成分と遅い変動周期成分に変動周期分解し、その変動周波数分解の結果、前記変動周期分解部から出力された変動周期分解結果、基準となる日射量のデータである基準日射量データ、前記基準日射量データの示す日射を受けた前記太陽光パネルが発電する発電電力のデータである基準発電電力データ、及び発電電力を推定する期間における前記太陽光パネルが設置された地点の日射量を示すデータである日射量データに基づいて太陽光パネルの発電電力を推定する。
【発明の効果】
【０００９】
この発明に係る発電電力推定装置においては、新たな測定装置を設置する必要がなく、既存の受電電力測定装置及び余剰電力測定装置の測定データから太陽光パネルの発電電力を推定することができる。
【図面の簡単な説明】
【００１０】
【図１】この発明の実施の形態１に係る太陽光発電電力推定システムの概略を示す概念図である。
【図２】この発明の実施の形態１に係る太陽光発電電力推定システムの構成図である。
【図３】この発明の実施の形態１に係る発電電力推定装置３１の構成を示すブロック図である。
【図４】この発明の実施の形態１に係る発電電力推定装置３１の動作を示すフローチャートである。
【図５】ステップＳ４における発電電力推定処理部３５の詳細を動作を示すフローチャートである。
【図６】この発明の実施の形態１におけるPVHFの例を示すグラフである。
【図７】この発明の実施の形態１におけるPVLF、PVLF'、PVの例を示すグラフである。
【図８】この発明の実施の形態２に係る太陽光発電電力推定システムの構成図である。
【図９】この発明の実施の形態３に係る太陽光発電電力推定システムの構成図である。
【図１０】この発明の実施の形態３に係る発電電力推定装置４１の構成を示すブロック図である。
【発明を実施するための形態】
【００１１】
実施の形態１．
最初に、この発明の実施の形態１に係る発明の目的について述べる。図１はこの発明の実施の形態１に係る太陽光発電電力推定システムの概略を示す概念図である。図１に示すように、太陽光パネル２を保有する需要家３は、太陽光パネル２の発電電力が需要家３の使用電力を上回った場合は、太陽光パネル２の発電電力から需要家３の使用電力を差し引いた電力である余剰電力を電力会社１０に送電して売る。この際、余剰電力測定装置５により送電した余剰電力が測定され、その測定データである測定余剰電力データが記録される。一方、太陽光パネル２の発電電力が需要家３の使用電力より少ない場合は、その不足分を電力会社１０から購入して受電する。この際、受電電力測定装置４により受電した電力である受電電力が測定され、その測定データである測定受電電力データが記録される。
【００１２】
ここで、太陽光パネル２の発電電力及び需要家３の使用電力を、余剰電力測定装置５の測定余剰電力データと受電電力測定装置４の測定受電電力データとから、正確に知ることはできない。
【００１３】
そこで、この発明の実施の形態１に係る発明の目的は、余剰電力測定装置５の測定余剰電力データと受電電力測定装置４の測定受電電力データとを合わせたデータ１１から、太陽光パネル２の発電電力１２及び需要家３の使用電力１３を推定できるようにすることである。
【００１４】
図２は、この発明の実施の形態１に係る太陽光発電電力推定システムの構成図である。この発明の実施の形態１に係る太陽光発電推定システムは、太陽２１から太陽光２２を受光して発電する太陽光パネル２、太陽光パネル２を設置した需要家３、電力会社から購入して受電する電力である受電電力２３を測定する受電電力測定装置４、太陽光パネル２の発電電力から需要家３の使用電力を差し引いた電力である余剰電力２４を測定する余剰電力測定装置５、太陽光パネル２の発電電力を推定する発電電力推定装置３１、及び各種情報が保存されたデータベース３２を備える。
【００１５】
データベース３２には、基準となる日射量のデータである基準日射量データと、当該基準日射量データの示す日射を受けた太陽光パネル２が発電する発電電力のデータである基準発電電力データと、太陽光パネル２の設備容量のデータである設備容量データ(kW)と、太陽光パネル２の日射量と発電量の関係曲線データと、需要家３の契約容量のデータである契約容量データ(kW)と、需要家３の過去の使用電力のデータ等が保存されている。なお、発電電力推定装置３１及びデータベース３２としてはCPU、ROM、RAM、インターフェース回路を備えるコンピュータを用いることができる。
【００１６】
図３は、この発明の実施の形態１に係る発電電力推定装置３１の構成を示すブロック図である。図３に示すように、発電電力推定装置３１は、通信システムを経由して受電電力測定装置４及び余剰電力測定装置５からそれぞれ測定受電電力データ及び測定余剰電力データを受信する受信部３３と、測定余剰電力データから測定受電電力データを差し引いたデータの変動周期分解を行う変動周期分解処理部３４と、変動周期分解処理部３４の処理結果と基準日射量データと太陽光パネル２の基準発電電力データとに基づいて発電電力を推定する発電電力推定処理部３５と、を備える。
【００１７】
次に動作について説明する。図４は、この発明の実施の形態１に係る発電電力推定装置３１の動作を示すフローチャートである。
【００１８】
ステップS１において、受信部３３は、通信システムを経由して受電電力測定装置４及び余剰電力測定装置５からそれぞれ測定受電電力データ及び測定余剰電力データを受信して、変動周期分解処理部３４へ送る。
【００１９】
ステップS２において、変動周期分解処理部３４は、データベース３２から需要家３の過去の使用電力のデータを読み込む。
【００２０】
ステップS３において、変動周期分解処理部３４は、測定余剰電力データから測定受電電力データを差し引いたデータに対してフーリエ変換により変動周期分解を行い、早い変動周期成分と遅い変動周期成分を分解する。なお、変動周期分解処理部３４は、早い変動周期成分と遅い変動周期成分の判断基準を、需要家３の過去の使用電力データをパワースペクトラムで分析して決定する。例えば、変動周期分解処理部３４が、使用電力の3分より早い変動がない又は少ないと判断した場合は、３分より早い周期が早い変動周期とする。
【００２１】
ここで、測定余剰電力データから測定受電電力データを差し引いたデータをZ、太陽光パネル２の発電電力をPV、需要家３の使用電力をLとすると、次の関係式が成り立つ。
【００２２】
【数１】
2011185649.tif 000003
【００２３】
さらに、PVは遅い変動周期成分PVLFと早い変動周期成分PVHFとから構成されているので、次のよう表せる。
【００２４】
【数２】
2011185649.tif 000004
【００２５】
一方、Zは、変動周期分解処理部３４においてフーリエ変換により変動周期分解され、遅い変動周期成分ZLFと早い変動周期成分ZHFとに、次のように分解される。
【００２６】
【数３】
2011185649.tif 000005
【００２７】
需要家３の使用電力Lは、一般に、雲の動き等に依存して早い変動をし得る太陽光パネル２の発電電力PVと比較して、相対的にゆっくりと変動するものと考えられる。そこでLは、遅い変動周期成分のみから構成されるものと仮定する。すると、太陽光パネル２の発電電力の早い変動周期成分PVHFと、Zの早い変動周期成分ZHFは等しい。つまり、次の式のようになる。
【００２８】
【数４】
2011185649.tif 000006
【００２９】
このようにして、まず、太陽光パネル２の発電電力の早い変動周期成分PVHFが推定できたことになる。
【００３０】
続いてステップS４において、発電電力推定処理部３５は、太陽光パネル２の発電電力を次のように推定する。
【００３１】
図５は、ステップＳ４における発電電力推定処理部３５の動作の詳細を示すフローチャートである。以下、図５に基づいて、ステップS４における発電電力推定処理部３５の動作について詳しく説明する。
【００３２】
ステップS１１において、発電電力推定処理部３５は、変動周期分解処理部３４の出力するZの早い変動周期成分ZHF、Zの遅い変動周期成分ZLFを読み込む。
【００３３】
ステップS１２において、発電電力推定処理部３５は、データベース３２から太陽光パネル２の基準発電電力データPVSTD及び基準日射量データIRRSTDを読み込む。
【００３４】
ステップS１３において、発電電力推定処理部３５は、日射量データIRRを読み込む。なお、この日射量データは、発電電力の推定を行う期間における太陽光パネル２が設置された地点の日射量のデータであり、気象庁から受け取るか、又は直接その地点で測定して受け取るようにしても良い。
【００３５】
ステップS１４において、発電電力推定処理部３５は、太陽光パネル２の発電電力の遅い周期成分PVLFを推定する。そのためにまず、発電電力推定処理部３５は、読み込んだ基準発電電力データPVSTDと、基準日射量データIRRSTDと、日射量データIRRとを用いて、太陽光パネル２の発電電力の遅い周期成分PVLFの暫定推定値PVLF'を以下の式により求める。
【００３６】
【数５】
2011185649.tif 000007
【００３７】
次に、発電電力推定処理部３５は、ステップＳ１１で読み込んだのZの早い変動周期成分ZHF（=PVHF）の変動幅ｗを計算する。ｗはZHF（=PVHF）の最大値と最小値との差である。図６は、この発明の実施の形態１におけるZHF（=PVHF）の例を示すグラフである。図６において、横軸は時間（h）、縦軸は電力（Kｗ）をそれぞれ示す。ｗの例を、図６中に示した。ｗを求めた後、発電電力推定処理部３５は、PVLFの最大値とPVLF'の最大値の差がｗとなるように次の式の係数ｋを算出する。ただし、ｋは０から１の範囲で求める。
【００３８】
【数６】
2011185649.tif 000008
【００３９】
図７は、この発明の実施の形態１におけるPVLF、PVLF'、PVの例を示すグラフである。図７において、横軸は時間（h）、縦軸は電力（Kｗ）をそれぞれ示す。１０１がPV、１０２がPVLF'、１０３がPVLFである。
【００４０】
次に、ステップS１５において、発電電力推定処理部３５は、ステップＳ１４の結果であるPVLFに早い変動周期成分ZHF（=PVHF）を足すことで、ＰＶを求めることができる。
【００４１】
最後に、図４のステップＳ５において、発電電力推定処理部３４は、推定した太陽光パネル２の発電電力（ＰＶ）を出力する。
【００４２】
以上、本実施の形態１に係る発電電力推定装置３１においては、新たな測定装置を設置する必要がなく、既存の受電電力測定装置及び余剰電力測定装置のデータから太陽光パネルの発電電力を推定することができる。
【００４３】
なお、受信部３３は、通信システムを経由して受電電力測定装置４及び余剰電力測定装置５からそれぞれ測定受電電力データ及び測定余剰電力データを受信していたが、これはメモリーデバイス経由で行うこともできる。
【００４４】
また、測定余剰電力データから測定受電電力データを差し引いたものを用いて変動周波分解したが、逆に、測定受電電力データから測定余剰電力データを差し引いたものを用いて変動周波分解してもよい。この場合、正負が逆転するだけで、同様の結果が得られる。
【００４５】
また、ZからPVを差し引いた値は需要家３の使用電力Lの推定値となる。必要であれば、発電電力推定装置３１がこの推定値を出力するようにしてもよい。
【００４６】
また、発電電力推定処理部３５は、推定した太陽光パネル２の発電電量PVや需要家３の使用電力Lの値が、太陽光パネル２の設備容量のデータである設備容量データ(kW)、太陽光パネル２の日射量と発電量の関係曲線データ、需要家３の契約容量のデータである契約容量データ(kW)、需要家３の過去の使用電力のデータ等と比較して明らかに不合理な値であった場合は、エラーを出力するようにしてもよい。
【００４７】
実施の形態２．
図８は、この発明の実施の形態２に係る太陽光発電電力推定システムの構成図である。実施の形態１と同一の構成については同一番号を付して説明を省略する。以下、図８に基づいて、この発明の実施の形態２に係る太陽光発電電力推定システムについて説明する。この発明の実施の形態２に係る太陽光発電電力推定システムの基本的な構成は、図２に示した実施の形態１の太陽光発電電力推定システムと同様であるが、以下のような相違点がある。
【００４８】
実施の形態１においては、太陽光パネル２及び需要家３はそれぞれ１つずつだけだった。それに対し、実施の形態２においては、太陽光パネル２ａ〜２ｃと需要家３ａ〜３ｃとがそれぞれ３つ備えている。
【００４９】
また、実施の形態１においては、単独の太陽光パネル２と需要家３についての受電電力及び余剰電力をそれぞれ測定する受電電力測定装置４及び余剰電力測定装置５が設置されていた。それに対し、実施の形態２においては、需要家３ａ〜３ｃの受電電力の合計である総受電電力２５を測定し、その測定データである測定総受電電力データを記録する総受電電力測定装置８と、太陽光パネル２ａ〜２ｃの発電電力の合計から需要家３ａ〜３ｃの使用電力の合計を差し引いた電力である総余剰電力２６を測定し、その測定データである測定総余剰電力データを記録する総余剰電力測定装置９とを備えている。
【００５０】
実施の形態２に係る発電電力推定装置３１の動作は、測定受電電力データ及び測定余剰電力データが測定総受電電力データ及び測定総余剰電力データに、太陽光パネル２に関するデータが太陽光パネル２ａ〜２ｃに関するデータに、需要家３に関するデータが需要家３ａ〜３ｃに関するデータに置き換わっただけで、実施の形態１に係る発電電力推定装置３１の動作と同様である。これにより、太陽光パネル２ａ〜２ｃの発電電力の合計を推定することができる。
【００５１】
なお、太陽光パネル及び需要家の数は３つに限るものではない。また、太陽光パネルの数と需要家の数は、必ずしも同一でなくてよい。
【００５２】
以上、この発明の実施の形態２に係る発電電力推定装置３１においては、１つ以上の太陽光パネル２からなる太陽光パネルが複数の需要家に設置された場合において、太陽光パネルの発電電力の合計を推定することができる。
【００５３】
また、過去の使用電力のデータ等は、複数の需要家の合計値を取り扱えばよいので、単独の需要家の個人情報の取り扱いを最小限にすることができる。
【００５４】
実施の形態３．
【００５５】
太陽光パネルを設置した需要家であっても、使用電力が大きく、余剰電力が生じないような需要家は、余剰電力測定装置を備えていないことも少なくない。このような需用家の太陽光パネルの発電電力は、実施の形態１で説明したような発電電力推定装置３１では精度よく推定することができない。
【００５６】
そこで、この発明の実施の形態３に係る発電電力推定装置４１においては、余剰電力測定装置を備えていないような需要家３Ｂの太陽光パネル２Ｂの発電電力を、近隣の太陽光パネル２Ａの発電電力の推定値から推定できるようにする。
【００５７】
図９は、この発明の実施の形態３に係る太陽光発電電力推定システムの構成図である。実施の形態１と同一の構成については同一番号を付した。以下、図９に基づいて、この発明の実施の形態３に係る太陽光発電電力推定システムについて説明する。
【００５８】
この発明の実施の形態３に係る太陽光発電電力推定システムは、太陽２１から太陽光２２を受光して発電する太陽光パネル２Ａ、太陽光パネル２Ａを設置した需要家３Ａ、需要家３Ａが電力会社から購入して受電する電力である受電電力２３Ａを測定する受電電力測定装置４Ａ、太陽光パネル２Ａの発電電力から需要家３Ａの使用電力を差し引いた電力である余剰電力２４Ａを測定する余剰電力測定装置５Ａ、太陽２１から太陽光２２を受光して発電する太陽光パネル２Ｂ、太陽光パネル２Ｂを設置した需要家３Ｂ、需要家３Ｂが電力会社から購入して受電する電力である受電電力２３Ｂを測定する受電電力測定装置４Ｂ、発電電力の推定を行う発電電力推定装置４１、及び各種情報が保存されたデータベース４２とを備えている。
【００５９】
データベース４２には、基準となる日射量のデータである基準日射量データと、当該基準日射量データの示す日射を受けた太陽光パネル２Ａが発電する発電電力のデータである基準発電電力データと、太陽光パネル２Ａの設備容量のデータである設備容量データ(kW)及び太陽光パネル２Ａの設備容量のデータである設備容量データ(kW)と、太陽光パネル２Ａの日射量と発電量の関係曲線データと、需要家３Ａの契約容量のデータである契約容量データ(kW)と、需要家３Ａの過去の使用電力のデータ等が保存されている。なお、発電電力推定装置４１及びデータベース４２としてはCPU、ROM、RAM、インターフェース回路を備えるコンピュータを用いることができる。
【００６０】
図１０は、この発明の実施の形態３に係る発電電力推定装置４１の構成を示すブロック図である。図１０に示すように、発電電力推定装置４１は、通信システムを経由して受電電力測定装置４Ａ及び余剰電力測定装置５Ａからそれぞれ測定受電電力データ及び測定余剰電力データを受信する受信部３３と、測定余剰電力データから測定受電電力データを差し引いたデータの変動周期分解を行う変動周期分解処理部３４と、変動周期分解処理部３４の処理結果と基準日射量データと太陽光パネル２Ａの基準発電電力データとに基づいて発電電力を推定する発電電力推定処理部３５と、太陽光パネル２Ｂの発電電力を推定する近隣太陽光パネル発電電力推定処理部３６と、を備える。
【００６１】
以下、実施の形態３に係る発電電力推定装置４１の動作について説明する。発電電力推定装置４１は、まず、実施の形態３の太陽光パネル２Ａの発電電力を実施の形態１と同様に推定する。すなわち、受信部３３が受電電力測定装置４Ａ及び余剰電力測定装置５Ａからそれぞれ測定受電電力データ及び測定余剰電力データを受信するところから発電電力推定処理部３５が推定した発電電力を出力するところまでの動作は実施の形態１と同様である。
【００６２】
次に、近隣太陽光パネル発電電力推定処理部３６は、発電電力推定処理部３５が推定した太陽光パネル２Ａの発電電力PVAを読み込み、データベース４２から読み込んだ太陽光パネル２Ａの設備容量データCAと太陽光パネル２Ｂの設備容量データCBとに基づき、以下式に従って太陽光パネル２Ｂの発電電力PVBを推定する。
【００６３】
【数７】
2011185649.tif 000009
【００６４】
次いで、近隣太陽光パネル発電電力推定処理部３６は、推定した太陽光パネル２Ｂの発電電力を出力する。
【００６５】
以上、この発明の実施の形態３に係る発電電力推定装置４１においては、太陽光パネル２Ａの近隣にある太陽光パネル２Ｂの発電電力についても推定することができる。
【符号の説明】
【００６６】
２  太陽光パネル、３  需要家、４  受電電力測定装置、５  余剰電力測定装置、８  総受電電力測定装置、１０  総余剰電力測定装置、３１  発電電力推定装置、３２  データベース、３３  受信部、３４  変動周期分解処理部、３５  発電電力推定処理部、３６  近隣太陽光パネル発電電力推定処理部、４１  発電電力推定装置、４２  データベース。
【図１】
2011185649.tif 000010
【図２】
2011185649.tif 000011
【図３】
2011185649.tif 000012
【図４】
2011185649.tif 000013
【図５】
2011185649.tif 000014
【図６】
2011185649.tif 000015
【図７】
2011185649.tif 000016
【図８】
2011185649.tif 000017
【図９】
2011185649.tif 000018
【図１０】
2011185649.tif 000019